(57)【要約】データベース構築のためのコストをかけることなく、撮影者が推奨された撮影位置から被写体を撮影できるようにする。  撮影位置提案装置は、画像記憶手段に記憶された、被写体を過去に撮影した複数の過去画像データ、または、過去画像データの付加データから当該被写体が撮影された撮影位置を示す過去撮影位置情報を抽出する撮影位置情報抽出手段と、前記過去撮影位置情報に基づいて、前記被写体が撮影された位置の分布である撮影位置分布を算出する撮影位置分布算出手段と、前記撮影位置分布算出手段が算出した撮影位置分布に基づいて、前記被写体の撮影位置として提案する提案撮影位置の候補を決定する撮影位置決定手段と、を備える。
2011096343.tif 000002
【特許請求の範囲】
【請求項１】
画像記憶手段に記憶された、被写体を過去に撮影した複数の過去画像データ、または、過去画像データの付加データから当該被写体が撮影された撮影位置を示す過去撮影位置情報を抽出する撮影位置情報抽出手段と、
前記過去撮影位置情報に基づいて、前記被写体が撮影された位置の分布である撮影位置分布を算出する撮影位置分布算出手段と、
前記撮影位置分布算出手段が算出した撮影位置分布に基づいて、前記被写体の撮影位置として提案する提案撮影位置の候補を決定する撮影位置決定手段と、
を備える撮影位置提案装置。
【請求項２】
前記画像記憶手段は、複数の前記被写体の各々を撮影した複数の前記画像データの前記付加データを記憶し、
前記撮影位置情報抽出手段は、前記付加データの各々から少なくとも１つの前記被写体の識別情報を抽出し、
前記撮影位置分布算出手段は、前記識別情報に基づいて、前記被写体の各々の撮影位置分布を算出する、
請求項１に記載の撮影位置提案装置。
【請求項３】
前記画像記憶手段は、同一の前記被写体を撮影した複数の前記過去画像データを記憶し、
前記撮影位置情報抽出手段は、同一の前記被写体を撮影した複数の前記過去画像データから、前記被写体と前記過去画像データを撮影した撮像機器との相対位置を位置情報として算出することによって、前記過去撮影位置情報を抽出する
請求項１または請求項２に記載の撮影位置提案装置。
【請求項４】
前記撮影位置分布算出手段が算出した前記撮影位置分布のうち、端末画像データの前記付加データから抽出した位置情報が示す位置に近い位置を包含する撮影位置分布をもつ前記被写体の前記撮影位置分布を選択する対応撮影位置分布決定手段を含む
請求項２または請求項３に記載の撮影位置提案装置。
【請求項５】
前記撮影位置分布算出手段が算出した前記撮影位置分布のうち、端末画像データと類似する、前記画像記憶手段に記憶された過去画像データに対応する前記被写体の前記撮影位置分布を選択する対応撮影位置分布決定手段を含む
請求項２または請求項３に記載の撮影位置提案装置。
【請求項６】
前記撮影位置分布算出手段は、実空間を複数の区分領域に区分し、前記各区分領域内で前記被写体を撮影した前記過去画像データの数を計数し、
前記撮影位置分布算出手段が算出した前記撮影位置分布に基づいて、前記過去画像データが撮影された頻度である画像撮影頻度が低い下位Ｍ（Ｍ≧１）位以下の前記区分領域を、前記提案撮影位置の候補として決定する
請求項１乃至５のいずれか１項に記載の撮影位置提案装置。
【請求項７】
撮影した被写体の端末画像データを外部へ送信する通信手段を備える撮影端末と、
前記撮影端末から送信された前記端末画像データを受信する通信手段を備える請求項１乃至６のいずれか１項に記載の撮影位置提案装置と、
からなる撮影位置提案システム。
【請求項８】
コンピュータに、
画像記憶手段に記憶された、被写体を過去に撮影した複数の過去画像データ、または、過去画像データの付加データから当該被写体が撮影された撮影位置を示す過去撮影位置情報を抽出する処理と、
前記過去撮影位置情報に基づいて、前記被写体が撮影された位置の分布である撮影位置分布を算出する撮影位置分布算出処理と、
前記撮影位置分布算出手段が算出した撮影位置分布に基づいて、前記被写体の撮影位置として提案する提案撮影位置の候補を決定する撮影位置決定処理と、
を実行させるための撮影位置提案用プログラム。
【請求項９】
複数の前記被写体の各々を撮影した複数の前記画像データの前記付加データを記憶した前記画像記憶手段の、前記付加データの各々から少なくとも１つの前記被写体の識別情報を抽出する前記撮影位置情報抽出処理と、
前記識別情報に基づいて、前記被写体の各々の撮影位置分布を算出する前記撮影位置情報抽出処理と、
をコンピュータに実行させる請求項８に記載の画像位置提案用プログラム。
【請求項１０】
画像記憶手段に記憶された、被写体を過去に撮影した複数の過去画像データ、または、過去画像データの付加データから当該被写体が撮影された撮影位置を示す過去撮影位置情報を抽出し、
前記過去撮影位置情報に基づいて、前記被写体が撮影された位置の分布である撮影位置分布を算出し、
前記撮影位置分布算出手段が算出した撮影位置分布に基づいて、前記被写体の撮影位置として提案する提案撮影位置の候補を決定する撮影位置提案方法。
【発明の詳細な説明】
【技術分野】
【０００１】
本発明は、被写体の撮影位置を提案する撮影位置提案システム、撮影位置提案装置、撮影位置提案方法、及び撮影位置提案用プログラムに関する。
【背景技術】
【０００２】
一般に、撮影者が著名な場所やランドマークを撮影する際、被写体の撮影構図や撮影位置等は、撮影者自身の勘や経験に基づき決定されている。そのため、撮影した被写体の構図の良し悪しが、撮影者の撮影技量に依存する問題がある。そのような課題を解決する手法を用いた撮影位置提案システムの一例が、特許文献１や特許文献２に記載されている。
例えば、特許文献１に記載された撮影位置提案システムは、撮影機器の位置を示すＧＰＳ（Ｇｌｏｂａｌ  Ｐｏｓｉｔｉｏｎｉｎｇ  Ｓｙｓｔｅｍ）情報に対して事前にセットされた推奨構図データを読み出し、撮影機器により取得された画像の上に推奨構図データを重畳する。そのような構成により、撮影者は、推奨構図データにあうように撮影機器の姿勢や画角、位置を調整し被写体を撮影することによって、より好ましい構図で被写体を撮影することができる。
また、例えば、特許文献２に記載されたシステムは、観光名所の撮影を行う際に最適なパラメータ（最適撮影条件）を記憶しておき、撮影機器の位置情報に基づいて、その撮影機器の位置における最適撮影条件を設定して、被写体を撮影する。
また、例えば、特許文献３に記載されたシステムは、現在の天候、現在の位置、現在の日時に基づいて、これらの条件を満たす撮影場所情報を選択する。
【先行技術文献】
【特許文献】
【０００３】
【特許文献１】特開２００２−１０１１４号公報
【特許文献２】国際公開第２００６／０２８１０９号
【特許文献３】特開２００９−０４９４７６号公報
【発明の概要】
【発明が解決しようとする課題】
【０００４】
しかし、特許文献１に記載されたシステムは、推奨構図データに位置情報が付属していないため、被写体を推奨構図に基づいて撮影する場合に、どこで撮影すれば良いかが分かりにくい。そのため、システムが実際の風景に推奨構図データを重畳して表示しても、撮影者は、実際に推薦された構図に風景を合わせるために、撮像機器を操作する手間がかかる。従って、被写体を撮影する際のユーザビリティが良いとはいえない。
また、特許文献１や特許文献２や特許文献３に記載されたシステムは、被写体を撮影するための推奨構図データや最適撮影条件を予めデータベースに記憶して用いることしか記載されておらず、推奨構図データや最適撮影条件の作成の仕方については、何ら開示されていない。仮に、推奨構図データや最適撮影条件を人手により作成する場合、推奨構図データや最適撮影条件のデータベース構築のための手間がかかるとともにコストがかかる。
そこで、本発明は、上述の課題を解決すべく、データベース構築のためのコストをかけることなく、撮影者が推奨された撮影位置から被写体を撮影できる撮影位置提案システム、撮影位置提案装置、撮影位置提案方法、及び撮影位置提案用プログラムを提供することを目的とする。
【課題を解決するための手段】
【０００５】
本発明による撮影位置提案装置は、画像記憶手段に記憶された、被写体を過去に撮影した複数の過去画像データ、または、過去画像データの付加データから当該被写体が撮影された撮影位置を示す過去撮影位置情報を抽出する撮影位置情報抽出手段と、前記過去撮影位置情報に基づいて、前記被写体が撮影された位置の分布である撮影位置分布を算出する撮影位置分布算出手段と、前記撮影位置分布算出手段が算出した撮影位置分布に基づいて、前記被写体の撮影位置として提案する提案撮影位置の候補を決定する撮影位置決定手段と、を備える。
本発明による撮影位置提案プログラムは、画像記憶手段に記憶された、被写体を過去に撮影した複数の過去画像データ、または、過去画像データの付加データから当該被写体が撮影された撮影位置を示す過去撮影位置情報を抽出する処理と、前記過去撮影位置情報に基づいて、前記被写体が撮影された位置の分布である撮影位置分布を算出する撮影位置分布算出処理と、前記撮影位置分布算出手段が算出した撮影位置分布に基づいて、前記被写体の撮影位置として提案する提案撮影位置の候補を決定する撮影位置決定処理と、をコンピュータに実行させる。
本発明による撮影位置提案方法は、画像記憶手段に記憶された、被写体を過去に撮影した複数の過去画像データ、または、過去画像データの付加データから当該被写体が撮影された撮影位置を示す過去撮影位置情報を抽出し、前記過去撮影位置情報に基づいて、前記被写体が撮影された位置の分布である撮影位置分布を算出し、前記撮影位置分布算出手段が算出した撮影位置分布に基づいて、前記被写体の撮影位置として提案する提案撮影位置の候補を決定する。
【発明の効果】
【０００６】
本発明は、データベース構築のためのコストをかけることなく、撮影者が推奨された撮影位置から被写体を撮影することができる撮影位置提案システム、撮影位置提案装置、撮影位置提案方法、及び撮影位置提案用プログラムを提供する。
【図面の簡単な説明】
【０００７】
【図１】本発明による撮影位置提案システムの構成の一例を示すブロック図である。
【図２】撮影位置分布の算出の具体例を示す説明図である
【図３】好ましい撮影位置の候補決定の具体例を示す説明図である。
【図４】好ましい撮影位置の候補決定の他の具体例を示す説明図である。
【図５】被写体毎の撮影位置分布や好ましい撮影位置の候補を予め算出する処理例を示す流れ図である。
【図６】撮像端末に対して提案情報を提供する処理例を示す流れ図である。
【図７】撮影位置提案システムの具体的な構成例を示すブロック図である。
【図８】提案情報の表示例を示す説明図である。
【図９】撮影位置提案装置の構成例を示すブロック図である。
【発明を実施するための形態】
【０００８】
以下、本発明の実施形態について図面を参照して説明する。本発明では、撮影者が被写体を撮影する際に、推奨撮影位置へ撮影者を誘導することによって、撮影者が推奨された撮影位置から被写体を撮影できる撮影位置提案システムを提供する。図１は、本発明による撮影位置提案システムの構成の一例を示すブロック図である。図１に示すように、撮影位置提案システムは、撮像端末１００と、プログラム制御により動作するコンピュータ２００とを含む。
撮像端末１００は、具体的には、プログラムに従って動作するカメラつき携帯電話機等の情報処理端末によって実現される。なお、撮像端末１００は、撮影機能を備えた機器であれば、携帯電話機等の携帯端末に限らず、例えば、ネットワーク接続可能なデジタルカメラ等の撮影機器によって実現されてもよい。また、図１では、１つの撮像端末１００を示しているが、撮影位置提案システムは、複数の撮像端末１００を含んでもよい。
図１に示すように、撮像端末１００は、撮像機器１１０、通信手段１２０、情報表示手段１３０、及びデータ処理装置１４０を含む。撮像機器１１０は、ＣＣＤカメラやＣＭＯＳイメージセンサ等の電子的に被写体を撮像するデバイスによって実現される。また、通信手段１２０は、有線通信又は無線通信によってコンピュータ２００とデータを送受信する通信回路部によって実現される。また、情報表示手段１３０は、撮影者に対し情報を提示する手段であって、例えば、画像表示を行う液晶モニタ等の表示装置によって実現される。また、データ処理装置１４０は、画像データプログラム制御により動作し、撮像機器１１０や通信手段１２０、情報表示手段１３０を制御する。
また、図１に示すように、データ処理装置１４０は、画像取得手段１４１、画像送付手段１４２、提案情報受信手段１４３、及び提案表示制御手段１４４を含む。なお、画像取得手段１４１、画像送付手段１４２、提案情報受信手段１４３、及び提案表示制御手段１４４は、具体的には、データ処理装置１４０が画像データプログラムに従って動作することによって実現される機能手段である。
画像取得手段１４１は、ユーザの操作に従って、撮像機器１１０を制御して被写体を撮影する機能を備える。また、画像取得手段１４１は、撮像機器１１０が撮影した画像データを撮像機器１１０から取得（入力）する機能を備える。
画像送付手段１４２は、画像取得手段１４１が取得した画像データを、通信手段１２０を用いて、通信ネットワークを介してコンピュータ２００に送信する機能を備える。
提案情報受信手段１４３は、コンピュータ２００から、好ましい撮影位置への移動方法を案内するための提案情報を、通信手段１２０を用いて、通信ネットワークを介して受信する機能を備える。
提案表示制御手段１４４は、提案情報受信手段１４３が受信した提案情報を、情報表示手段１３０を用いて表示することによって、撮影者に対して提示する機能を備える。
コンピュータ２００は、具体的には、プログラムに従って動作するパーソナルコンピュータ等の情報処理装置によって実現される。なお、コンピュータ２００は、例えば、各種画像データを蓄積する画像サーバ（例えば、Ｗｅｂサーバ）や、被写体の撮影位置の提案情報を配信するサービスを提供するサービス事業者が運営する情報サーバである。なお、コンピュータ２００は、複数の情報処理装置を用いて実現されてもよく、１つの情報処理装置を用いて実現されてもよい。
図１に示すように、コンピュータ２００は、通信手段２１０、記憶手段２２０、及びデータ処理装置２３０を含む。通信手段２１０は、有線通信又は無線通信によって撮像端末１００とデータを送受信する情報処理装置のネットワークインタフェース部によって実現される。記憶手段２２０は、各種データを保持（記憶）する画像サーバや、磁気ディスク装置や光ディスク装置等のデータベース装置によって実現される。また、データ処理装置２３０は、プログラム制御により動作し、通信手段２１０や記憶手段２２０を制御する。
また、図１に示すように、記憶手段２２０は、画像記憶部２２１及び撮影位置分布記憶部２２２を含む。画像記憶部２２１は、例えば、画像サーバによって実現され、任意の人物により過去に撮影された大量の画像データを保持（蓄積）する。また、撮影位置分布記憶部２２２は、例えば、サービス事業者が運営する情報サーバが備えるデータベース装置によって実現され、被写体に応じた撮影位置分布を示す情報や、被写体を撮影する場合の好ましい撮影位置の候補を示す情報を保持（記憶）する。
また、図１に示すように、データ処理装置２３０は、撮影位置情報抽出手段２３１、撮影位置分布算出手段２３２、撮影位置決定手段２３３、画像データ受信手段２３４、対応撮影位置分布決定手段２３５、提案情報作成手段２３６、及び提案情報送信手段２３７を含む。なお、撮影位置情報抽出手段２３１、撮影位置分布算出手段２３２、撮影位置決定手段２３３、画像データ受信手段２３４、対応撮影位置分布決定手段２３５、提案情報作成手段２３６、及び提案情報送信手段２３７は、具体的には、データ処理装置２３０がプログラムに従って動作することによって実現される機能手段である。
撮影位置情報抽出手段２３１は、画像記憶部２２１が蓄積する画像データから撮影位置情報を抽出する機能を備える。すなわち、撮影位置情報抽出手段２３１は、被写体を過去に撮影した画像データにおいて、その被写体が撮影された撮影位置を示す撮影位置情報を抽出する。
撮影位置分布算出手段２３２は、撮影位置情報抽出手段２３１が抽出した撮影位置情報に基づいて、被写体を撮影した位置の分布である撮影位置分布を算出する機能を備える。すなわち、撮影位置分布算出手段２３２は、撮影位置情報抽出手段２３１が抽出した撮影位置情報に基づいて、画像データにおいて被写体が撮影された位置の分布である撮影位置分布を算出する。
撮影位置決定手段２３３は、撮影位置分布算出手段２３２が算出した撮影位置分布に基づいて、被写体を撮影する場合のより好ましい撮影位置の候補を決定する機能を備える。また、撮影位置決定手段２３３は、決定した好ましい撮影位置の候補を示す情報や、撮影位置分布算出手段２３２が算出した撮影位置分布を示す情報を、撮影位置分布記憶部２２２に記憶させる機能を備える。すなわち、撮影位置決定手段２３３は、撮影位置分布算出手段２３２が算出した撮影位置分布に基づいて、被写体の撮影位置として提案する提案撮影位置の候補を決定する。
例えば、撮影位置決定手段２３３は、撮影位置分布算出手段２３２が算出した撮影位置分布に基づいて、過去に画像データが撮影された頻度である画像撮影頻度が高い上位Ｎ（Ｎ≧１）位以上の区分領域を提案撮影位置の候補として決定する。また、例えば、撮影位置決定手段２３３は、画像撮影頻度が低い下位Ｍ（Ｍ≧１）位以下の区分領域を提案撮影位置の候補として決定する。また、例えば、撮影位置決定手段２３３は、それら画像撮影頻度が高い上位Ｎ（Ｎ≧１）位以上の区分領域と画像撮影頻度が低い下位Ｍ（Ｍ≧１）位以下の区分領域との両方を、提案撮影位置の候補として決定してもよい。
画像データ受信手段２３４は、通信手段２１０を用いて、通信ネットワークを介して、撮像端末１００から画像データを受信する機能を備える。
対応撮影位置分布決定手段２３５は、撮影位置分布記憶部２２２を検索し、画像データ受信手段２３４が受信した画像データに対応する撮影位置分布を示す情報や、好ましい撮影位置の候補を示す情報（具体的には、同じ被写体に対応する撮影位置分布や好ましい撮影位置の候補を示す情報）を、撮影位置分布記憶部２２２から選択して抽出する機能を備える。すなわち、対応撮影位置分布決定手段２３５は、画像データ受信手段２３４が受信した画像データを用いて抽出した撮影位置情報に基づいて、撮影位置分布算出手段２３２が算出した撮影位置分布のうち、受信した画像データに対応する撮影位置分布（対応撮影位置分布）を選択する。
提案情報作成手段２３６は、画像データ受信手段２３４が受信した画像データの撮影位置情報と、対応撮影位置分布決定手段２３５が選択した情報に示される撮影位置分布の好ましい撮影位置の候補との関係に基づいて、撮影者に対して被写体の好ましい撮影位置を提示するための提案情報を作成する機能を備える。すなわち、提案情報作成手段２３６は、撮像端末１００が被写体を撮影した画像データを受信し、その画像データにおいて被写体が撮影された撮影位置を示す撮影位置情報と、撮影位置決定手段２３３が決定した提案撮影位置の候補との関係に基づいて、撮影位置決定手段２３３が決定した提案撮影位置の候補のうち、撮像端末１００の撮影者に提示する提案撮影位置を決定して、決定した提案撮影位置を含む提案情報を作成する。
提案情報送信手段２３７は、提案情報作成手段２３６が作成した提案情報を、通信手段２１０を用いて、通信ネットワークを介して、撮像端末１００に送信する機能を備える。
次に、図１に示した各手段の機能について説明する。
画像記憶部２２１は、例えば、インターネット上に存在する画像保存サーバ（例えば、Ｗｅｂサーバ）である。画像記憶部２２１は、画像データを記憶するとともに、画像が撮影された時の撮影情報（撮影位置や撮影日時を示す情報）を含むＥｘｉｆ（Ｅｘｃｈａｎｇｅａｂｌｅ  ｉｍａｇｅ  ｆｉｌｅ  ｆｏｒｍａｔ）情報や、画像撮影者によって作成され付加されたタグ情報（例えば、被写体を識別するための画像のタイトルや、画像を撮影した位置情報等から推定される被写体を識別するための識別情報など）を、画像データに対応付けて保存（記憶）している。なお、画像記憶部２２１は、画像保存サーバに限らず、例えば、サービス事業者が運営する情報サーバが備えるデータベース装置等によって実現されてもよい。
撮影位置情報抽出手段２３１は、画像記憶部２２１が保持（蓄積）している画像データ１枚１枚から画像の撮影位置を抽出する機能を備える。
例えば、画像データに対応するＥｘｉｆ情報等の中に、撮影時に撮像端末１００がいた位置を示すＧＰＳ情報等の位置情報（例えば、緯度や経度の情報）が含まれる場合、撮影位置情報抽出手段２３１は、このＧＰＳ情報に含まれる緯度や経度の情報を撮影位置として求める。
また、画像データがＧＰＳ情報等の位置を特定できる情報をもっていない場合には、撮影位置情報抽出手段２３１は、例えば、画像記憶部２２１中の同一の被写体を撮影している他の画像データを合わせて用いて、Ｓｔｒｕｃｔｕｒｅ  ｆｒｏｍ  ｍｏｔｉｏｎ（三次元復元）の手法を用いて、被写体と撮影機器（本例では、撮像端末１００）との相対位置を算出する。そして、撮影位置情報抽出手段２３１は、この算出した被写体と撮影機器との相対位置を撮影位置とすればよい。
撮影位置分布算出手段２３２は、撮影位置情報抽出手段２３１が抽出した撮影位置と、画像記憶部２２１に保持（蓄積）されている画像データに対応するタグ情報とに基づいて、被写体毎に、その被写体を撮影した画像の撮影位置分布を算出する機能を備える。
図２は、撮影位置分布の算出の具体例を示す説明図である。このうち、図２（ａ）は、実際の被写体の位置と、各画像データの画像を撮影する際の被写体の撮影位置との関係の例を二次元座標上に示している。また、図２（ｂ）は、図２（ａ）に示す例において、撮影位置分布算出手段２３２によって求められる撮影位置分布の例を示している。なお、図２（ａ）において、各黒点は、各画像データの画像を撮影する際の被写体の撮影位置を示しており、白四角２０は、撮影対象の被写体を示している。
例えば、図２（ａ）の各黒点に示すように白四角２０で示す被写体を撮影した画像の撮影位置が分布していた場合に、撮影位置分布算出手段２３２は、ある間隔で区切られた領域の範囲内に、それぞれ被写体を撮影した画像が何枚あるのかを計算する。そして、撮影位置分布算出手段２３２は、領域毎に計算した画像の枚数の分布を撮影位置分布として求める。例えば、図２に示す例では、撮影位置分布算出手段２３２は、縦４行横３列に区切って二次元座標平面を１２個の領域に分割し、分割した領域毎に黒点の数をカウント（計数）して、図２（ｂ）に示すような撮影位置分布を求めている。なお、図２（ｂ）に示す撮影位置分布では、領域２５が最も撮影頻度が高く（最も黒点の数が多く）、領域２１が撮影頻度が次に高く、さらに領域２８が次に撮影頻度が高く、さらに領域２３，２４，２７，２９，３１が次に撮影頻度が高く、領域２２，２６，３０，３２が最も撮影頻度が低い（最も黒点の数が少ない）。なお、撮影位置分布算出手段２３２は、求めた図２（ｂ）に示す撮影位置分布を示す情報を、撮影位置分布記憶部２２２に保存（記憶）させる。
撮影位置決定手段２３３は、撮影位置分布算出手段２３２が算出した被写体の撮影位置分布に基づいて、被写体のより好ましい撮影位置の候補を決定する機能を備える。なお、好ましい撮影位置とは、ある被写体（例えば、著名な場所やランドマーク）を撮影する際に最適な撮影位置として推奨される位置である。本実施形態では、好ましい撮影位置は、多くの人が撮影を行なっている場所（被写体が過去に撮影された場所のうち最も撮影頻度の高い場所）であってもよく、殆どの人が撮影を行なわないような場所（被写体が過去に撮影された場所のうち最も撮影頻度の低い場所）であってもよい。
図３は、好ましい撮影位置の候補決定の具体例を示す説明図である。なお、図３では、撮影位置分布算出手段２３２が求めた図２（ｂ）に示す撮影位置分布に基づいて、好ましい撮影位置の候補を決定する例が示されている。
例えば、撮影位置決定手段２３３は、まず、図３に示すように、撮影位置分布算出手段２３２が撮影位置分布を求めた領域のうち、撮影位置の候補を決定するための評価対象とする評価対象範囲４０を抽出する。なお、図３に示す例では、被写体２０の位置を中心とした扇形の領域を評価対象範囲４０として抽出する場合が示されている。なお、撮影位置決定手段２３３は、評価対象範囲４０を抽出することなく、撮影位置分布算出手段２３２が撮影位置分布を求めた全ての領域を対象として、好ましい撮影位置の候補を決定してもよい。
次いで、撮影位置決定手段２３３は、抽出した評価対象範囲４０内の各領域から、好ましい撮影位置の候補とする領域を決定する。この場合、撮影位置決定手段２３３は、例えば、図２（ｂ）に示すような撮影位置分布が算出された場合、図３に示すように、最も撮影頻度の高い領域４１を、好ましい撮影位置として決定してもよい。また、撮影位置決定手段２３３は、図３に示すように、被写体に対して一定の評価対象範囲４０内で最も撮影頻度の低い領域４２を、好ましい撮影位置として決定してもよい。なお、撮影位置決定手段２３３は、最も撮影頻度の高い領域４１を好ましい撮影位置として決定すれば、多くの人がより好む撮影位置を撮影者に対して提案することができる。また、撮影位置決定手段２３３は、最も撮影頻度の低い領域４２を好ましい撮影位置として決定すれば、被写体があまり撮影されない珍しい構図となる撮影位置を撮影者に対して提案することができる。撮影位置決定手段２３３は、図３に示す好ましい撮影位置の候補を示す情報を、撮影位置分布記憶部２２２に保存（記憶）させる。
なお、撮影位置決定手段２３３は、好ましい撮影位置の候補として、最も撮影頻度の高い領域４１と、最も撮影頻度の低い領域４２との両方を決定してもよい。また、好ましい撮影位置の候補の決定の仕方は、本実施形態で示したものに限らず、例えば、撮影位置決定手段２３３は、最も撮影頻度の高い領域４１に加えて、２番目に撮影頻度の高い領域（図２（ｂ）に示す領域２１）や、３番目に撮影頻度の高い領域（図２（ｂ）に示す領域２８）を決定する等、複数の領域を決定してもよい。また、例えば、撮影位置決定手段２３３は、図４に示すように、最も撮影頻度の高い領域４１のうち、さらに最も撮影頻度の高い位置５１を特定して、好ましい撮影位置の候補として決定してもよい。また、例えば、撮影位置決定手段２３３は、図４に示すように、最も撮影頻度の低い領域４２のうち、さらに最も撮影頻度の低い位置５２を特定して、好ましい撮影位置の候補として決定してもよい。
また、撮影位置情報抽出手段２３１は、画像データ受信手段２３４が撮像端末１００から画像データを受信したときにも、画像データ受信手段２３４が受信した画像データに基づいて撮影位置を抽出する機能を備える。
対応撮影位置分布決定手段２３５は、画像データ受信手段２３４が受信した画像データがＧＰＳ情報等をＥｘｉｆ情報等として含む場合には、その位置情報が示す位置に近い場所を包含する撮影位置分布をもつ被写体に対応する撮影位置分布を示す情報を撮影位置分布記憶部２２２から抽出して、撮像端末１００が撮影した被写体に対応する対応撮影位置分布とする。
また、対応撮影位置分布決定手段２３５は、画像データ受信手段２３４が受信した画像データが位置情報を含まない場合には、撮影位置分布記憶部２２２が記憶する撮影位置分布を構成する各画像データ（撮影位置分布の算出に用いた各画像データ）と、画像データ受信手段２３４が受信した画像データとの画像マッチングを行い、該画像データと類似する、画像記憶部２２１に記憶された画像の被写体の撮影位置分布を対応撮影位置分布とする。
提案情報作成手段２３６は、画像データ受信手段２３４が受信した画像データの撮影位置と、対応撮影位置分布決定手段２３５が決定した対応撮影位置分布に対応する好ましい撮影位置の候補（例えば、対応撮影位置分布に対応する好ましい撮影位置の候補を示す情報を撮影位置分布記憶部２２２から抽出することにより得られる）とに基づいて、撮影者が移動すべき方向を案内するための提案情報を作成する。
例えば、提案情報作成手段２３６は、受信した画像データに付加されている位置情報等に示される撮像端末１００の現在位置と、撮影位置分布記憶部２２２から抽出した情報に示される撮影位置の候補（推奨される撮影位置）とを図示するための情報を、提案情報をとして作成する。この場合、撮像端末１００は、コンピュータ２００から受信した提案情報に基づいて、情報表示手段１３０に、現在位置と、被写体を撮影するための推奨撮影位置とを図示することになる。
また、例えば、提案情報作成手段２３６は、地図データに、撮影位置の候補（推奨される撮影位置）を付加して、提案情報を作成してもよい。この場合、撮像端末１００は、コンピュータ２００から受信した提案情報に基づいて、情報表示手段１３０に、被写体を撮影するための推奨撮影位置を地図上に図示して表示してもよい。
また、例えば、提案情報作成手段２３６は、撮像端末１００の現在位置から撮影位置の候補（推奨される撮影位置）までの移動方向を矢印等で図示するための提案情報を作成してもよい。この場合、撮像端末１００は、コンピュータ２００から受信した提案情報に基づいて、情報表示手段１３０に、撮像端末１００の現在位置から撮影位置の候補（推奨される撮影位置）までの移動方向を矢印等で図示して表示することになる。
提案情報送信手段２３７は、提案情報作成手段２３６が作成した提案情報を、通信手段２１０を用いて、通信ネットワークを介して、撮像端末１００に対して送付（送信）する機能を備える。
なお、撮影位置情報抽出手段２３１と、撮影位置分布算出手段２３２と、撮影位置決定手段２３３とが実行する撮影位置分布や好ましい撮影位置を算出する処理は、撮像端末１００とコンピュータ２００とが通信を行う前に、予め実行しておくことが好ましい。
また、本実施形態において、コンピュータ２００の記憶装置は、被写体の撮影位置を提案するための各種プログラムを記憶している。例えば、コンピュータ２００の記憶装置は、コンピュータに、被写体を過去に撮影した過去画像データにおいて当該被写体が撮影された撮影位置を示す過去撮影位置情報を抽出する処理と、抽出した過去撮影位置情報に基づいて、過去画像データにおいて被写体が撮影された位置の分布である撮影位置分布を算出する処理と、算出した撮影位置分布に基づいて、被写体の撮影位置として提案する提案撮影位置の候補を決定する処理と、撮影端末が被写体を撮影した端末画像データを受信し、当該端末画像データにおいて被写体が撮影された撮影位置を示す端末撮影位置情報と、決定した提案撮影位置の候補との関係に基づいて、決定した提案撮影位置の候補のうち、撮影端末の撮影者に提示する提案撮影位置を決定して、決定した提案撮影位置を含む提案情報を作成する処理と、作成した提案情報を、撮影端末に送信する処理とを実行させるための撮影位置提案用プログラムを記憶している。
次に、動作について説明する。まず、インターネット等のネットワーク上に蓄積されている過去の画像データ（サンプルデータ）に基づいて、被写体毎の撮影位置分布や好ましい撮影位置の候補を予め算出する動作について説明する。図５は、被写体毎の撮影位置分布や好ましい撮影位置の候補を予め算出する処理例を示す流れ図である。なお、コンピュータ２００は、所定のタイミングで（例えば、所定期間毎に、又はサービス事業者の担当者による指示操作のタイミングで）、画像記憶部２２１が蓄積する画像データを検索し、図５に示す処理を実行して、被写体毎の撮影位置分布や好ましい撮影位置の候補を算出する。
まず、コンピュータ２００の撮影位置情報抽出手段２３１は、任意のユーザにより過去に撮影され保存された画像記憶部２２１内の各画像データに基づいて、それぞれ被写体の撮影位置を抽出する（図５に示すステップＡ１）。次に、撮影位置分布算出手段２３２は、撮影位置情報抽出手段２３１が抽出した各撮影位置と、画像記憶部２２１に画像データとともに保持（記憶）された画像のタグ情報とに基づいて、被写体毎に撮影位置分布を算出する（図５に示すステップＡ２）。そして、撮影位置決定手段２３３は、撮影位置分布算出手段２３２が算出した撮影位置分布に応じて、より好ましい撮影位置の候補を決定する（図５に示すステップＡ３）。そして、撮影位置決定手段２３３は、算出した撮影位置分布を示す情報や好ましい撮影位置の候補を示す情報を、撮影位置分布記憶部２２２に記憶させる。
なお、上記のステップＡ１〜Ａ３の処理は、撮像端末１００のユーザによって被写体の撮影が行われる際に、撮像端末１００とコンピュータ２００とが通信を行う前に、予め実行されることが好ましい。
なお、コンピュータ２００は、撮像端末１００のユーザによって被写体の撮影が行われるとき（例えば、ユーザによって撮像端末１００が起動されたときに撮像端末１００から送信された起動信号を、コンピュータ２００が受信したとき、あるいは、コンピュータ２００が撮像端末１００から画像データを受信したときなど）に、画像記憶部２２１が蓄積する画像データを検索してステップＡ１〜Ａ３の処理を実行し、撮影位置分布や好ましい撮影位置の候補を算出して、提案情報を撮像端末１００に配信するようにしてもよい。この場合、コンピュータ２００は、撮像端末１００のユーザによって被写体の撮影が行われるときに、最新のサンプルデータに基づく提案情報を撮像端末１００に提供することができる。
以上のステップＡ１〜Ａ３の処理が実行されることによって、ネットワーク上に蓄積された過去の画像データ（サンプルデータ）に基づいて、被写体毎の撮影位置分布や好ましい撮影位置の候補が求められ、撮影位置分布記憶部２２２に予め記憶される。
次に、撮像端末１００のユーザによって被写体の撮影が行われるときに、コンピュータ２００が撮像端末１００に対して提案情報を提供する動作を説明する。図６は、撮像端末１００に対してコンピュータ２００が提案情報を提供する処理例を示す流れ図である。なお、本実施形態では、撮像端末１００のユーザは、例えば、撮像端末１００を用いて、著名な場所やランドマーク等の撮影を行うものとする。
撮像端末１００のユーザによって被写体の撮影操作が行われると、まず、撮像端末１００の画像取得手段１４１は、撮像機器１１０を用いて被写体の画像を撮像する（図６に示すステップＢ１）。次に、画像送付手段１４２は、撮像した画像データを、コンピュータ２００に、通信手段１２０を用いて、通信ネットワークを介して送信する（図６に示すステップＢ２）。すると、コンピュータ２００の画像データ受信手段２３４は、通信手段２１０を用いて、通信ネットワークを介して、撮像端末１００から画像データを受信する（図６に示すステップＢ３）。
次に、コンピュータ２００の対応撮影位置分布決定手段２３５は、受信した画像データに付加されている位置情報に基づいて、受信した画像データに対応する撮影位置分布を決定する。又は、対応撮影位置分布決定手段２３５は、受信した画像データと撮影位置分布を推定した画像セットとの画像マッチングの結果に基づいて、受信した画像データに対応する撮影位置分布を決定する（図６に示すステップＢ４）。
次に、コンピュータ２００の提案情報作成手段２３６は、受信した画像データから撮影位置情報抽出手段２３１を用いて抽出した撮影位置と、対応撮影位置分布決定手段２３５が決定した対応撮影位置分布に基づいて得られるより好ましい撮影位置とに基づいて、撮影者（撮像端末１００のユーザ）が移動すべき方向を案内するための提案情報を作成する（図６に示すステップＢ５）。そして、提案情報送信手段２３７は、作成した提案情報を、通信手段２１０を用いて、通信ネットワークを介して、撮像端末１００に送付（送信）する（図６に示すステップＢ６）。
次に、撮像端末１００の提案情報受信手段１４３は、通信手段１２０を用いて、通信ネットワークを介して、提案情報を受信する（図６に示すステップＢ７）。そして、最後に、提案表示制御手段１４４は、受信した提案情報を情報表示手段１３０を用いて撮影者に対して提示する（具体的には、情報表示手段１３０に提案情報を表示する）ことによって、好ましい撮影位置をユーザに提案し、処理を終了する（図６に示すステップＢ８）。なお、提案情報に複数の好ましい撮影位置が含まれる場合には、提案表示制御手段１４４は、情報表示手段１３０に、複数の好ましい撮影位置の候補を表示してもよい。
以上のように、本実施形態によれば、撮影者の位置と提案される撮影位置との差をなくすように、撮影者を誘導することができる。そのため、撮影者（撮像端末１００のユーザ）が提案された撮影位置で被写体を撮影することができる。すなわち、本実施形態によれば、コンピュータ２００は、撮影者の位置と推奨撮影位置とを取得し、そのずれを解消するように、撮影者を誘導する提案情報を撮影者に提示することができる。そのため、撮影者は推奨された撮影位置から被写体を撮影できる。
また、本実施形態によれば、コンピュータ２００は、過去の画像データに基づいて撮影位置分布を算出し、算出した撮影位置分布に基づいて被写体の撮影位置として提案する提案撮影位置の候補を自動決定し、撮像端末１００から画像データを受信したときに提案撮影位置を含む提案情報を自動作成して撮像端末１００に返信する。そのため、コンピュータ２００は、多くの画像データベースから自動的に撮影位置分布を構築し、その撮影位置分布に基づいて、撮像端末１００のユーザに対して最適な撮影位置を推薦することができ、撮影条件のデータベースを構築するコストを安価に抑えることができる。
従って、本実施形態によれば、データベース構築のためのコストをかけることなく、撮影者が推奨された撮影位置から被写体を撮影することができる撮影位置提案システムが提供される。
次に、撮影位置提案システムの具体的な構成例について説明する。図７は、撮影位置提案システムの具体的な構成例を示すブロック図である。図７に示す例は、撮影位置提案システムは、カメラつき携帯電話機３００と、インターネット上の画像サーバ４００にアクセス可能な情報サーバ５００とを含む。
図７に示す例では、カメラつき携帯電話機３００は、ＣＣＤカメラ又はＣＭＯＳイメージセンサを用いて実現される画像センサ３１０と、無線通信装置３２０と、液晶モニタ３３０と、ＧＰＳ受信機３４０と、データ処理装置３５０とを含む。なお、データ処理装置３５０は、図１に示したデータ処理装置１４０と同等の機能を備える。また、情報サーバ５００は、図１に示したデータ処理装置２３０と同等の機能を備えるとともに、撮影位置分布記憶部２２２を備える。また、画像サーバ４００は、図１に示した画像記憶部２２１に相当する。
撮影者が、画像センサ３１０を用いて被写体の画像を撮影する操作を行うと、携帯電話機３００のデータ処理装置３５０は、画像センサ３１０を用いて被写体を撮影するとともに、撮影した画像データに、ＧＰＳ受信機３４０が受信したＧＰＳ信号に基づいて求めた位置情報を付与する。そして、データ処理装置３５０は、無線通信装置３２０を用いて、通信ネットワークを介して、画像データを情報サーバ５００に送付（送信）する。
画像サーバ４００は、例えば、インターネット上の画像共有サービス（例えば、Ｆｌｉｃｋｒ）等を提供するサーバである。画像サーバ４００は、画像データと、その画像データに何が写っているのかを示すタグ情報とを対応付けて保存（記憶）している。
情報サーバ５００は、事前に画像サーバ４００が蓄積する画像データをサンプルデータとして用いて、被写体毎に撮影位置分布を算出しておく。
被写体の画像データが、カメラつき携帯電話機３００から情報サーバ５００に送付（送信）されると、情報サーバ５００は、図１に示すコンピュータ２００と同様の処理を実行し、提案情報を作成する。そして、情報サーバ５００は、無線通信を用いて、カメラつき携帯電話機３００に、作成した提案情報を送付（送信）する。そして、携帯電話機３００は、受信した提案情報を液晶モニタ３３０に表示する。
図８は、提案情報の表示例を示す説明図である。情報サーバ５００は、例えば、図８に示すように、表示画面内に実際の好ましい撮影場所までの方向を矢印で表示するための提案情報を作成しても構わないし、地図を表示して地図上で好ましい撮影場所を示すための提案情報を作成しても構わない。
その後、撮影者（携帯電話機３００のユーザ）は、液晶モニタ３３０に表示された提案情報を参考にして、撮影場所を移動して被写体を撮影することによって、より好ましい構図で被写体を撮影することが可能である。
なお、この場合、情報サーバ５００は、基準の異なる複数の撮影基準をカメラつき携帯電話機３００に送付（送信）しておき、撮影者が複数の候補の中からより好ましい構図を選択するという構成にすることも可能である。
次に、本発明による撮影位置提案装置の構成の一例について説明する。図９は、撮影位置提案装置の構成例を示すブロック図である。図９に示すように、撮影位置提案装置は、コンピュータ２００からなる。また、コンピュータ２００は、構成要素として、撮影位置情報抽出手段２３１と、撮影位置分布算出手段２３２と、撮影位置決定手段２３３と、を含む。
撮影位置情報抽出手段２３１は、被写体を過去に撮影した過去画像データにおいて当該被写体が撮影された撮影位置を示す過去撮影位置情報を抽出する機能を備える。また、撮影位置分布算出手段２３２は、撮影位置情報抽出手段２３１が抽出した過去撮影位置情報に基づいて、過去画像データにおいて被写体が撮影された位置の分布である撮影位置分布を算出する機能を備える。また、撮影位置決定手段２３３は、撮影位置分布算出手段２３２が算出した撮影位置分布に基づいて、被写体の撮影位置として提案する提案撮影位置の候補を決定する機能を備える。
また、コンピュータ２００は、提案情報作成手段２３６と、提案情報送信手段２３７と、をさらに備えていても良い。提案情報作成手段２３６は、撮像端末１００が被写体を撮影した端末画像データを受信し、当該端末画像データにおいて被写体が撮影された撮影位置を示す端末撮影位置情報と、撮影位置決定手段２３３が決定した提案撮影位置の候補との関係に基づいて、撮影位置決定手段２３３が決定した提案撮影位置の候補のうち、撮像端末１００の撮影者に提示する提案撮影位置を決定して、決定した提案撮影位置を含む提案情報を作成する機能を備える。また、提案情報送信手段２３７は、提案情報作成手段２３６が作成した提案情報を撮像端末１００に送信する機能を備える。
図９に示す撮影位置提案装置によれば、データベース構築のためのコストをかけることなく、撮影者が推奨された撮影位置から被写体を撮影することができる。
なお、上記に示した実施形態では、以下の（１）〜（１１）に示すような撮影位置提案システムや撮影位置提案装置の特徴的構成が示されている。
（１）撮影位置提案システムは、被写体を撮影可能な撮影端末（例えば、撮像端末１００）と、撮影端末に情報配信を行うサーバ（例えば、コンピュータ２００）とを備え、サーバは、被写体を過去に撮影した過去画像データにおいて当該被写体が撮影された撮影位置を示す過去撮影位置情報を抽出する撮影位置情報抽出手段（例えば、撮影位置情報抽出手段２３１によって実現される）と、撮影位置情報抽出手段が抽出した過去撮影位置情報に基づいて、過去画像データにおいて被写体が撮影された位置の分布である撮影位置分布を算出する撮影位置分布算出手段（例えば、撮影位置分布算出手段２３２によって実現される）と、撮影位置分布算出手段が算出した撮影位置分布に基づいて、被写体の撮影位置として提案する提案撮影位置の候補を決定する撮影位置決定手段（例えば、撮影位置決定手段２３３によって実現される）と、撮影端末が被写体を撮影した端末画像データを受信し、当該端末画像データにおいて被写体が撮影された撮影位置を示す端末撮影位置情報と、撮影位置決定手段が決定した提案撮影位置の候補との関係に基づいて、撮影位置決定手段が決定した提案撮影位置の候補のうち、撮影端末の撮影者に提示する提案撮影位置を決定して、決定した提案撮影位置を含む提案情報を作成する提案情報作成手段（例えば、提案情報作成手段２３６によって実現される）と、提案情報作成手段が作成した提案情報を、撮影端末に送信する提案情報送信手段（例えば、提案情報送信手段２３７によって実現される）とを含むことを特徴とする。
（２）撮影位置提案システムは、被写体を撮影可能な撮影端末（例えば、撮像端末１００）と、撮影端末に情報配信するサーバ（例えば、コンピュータ２００）とを備え、サーバは、被写体を過去に撮影した過去画像データにおいて当該被写体が撮影された撮影位置を示す過去撮影位置情報を抽出する撮影位置情報抽出手段（例えば、撮影位置情報抽出手段２３１によって実現される）と、撮影位置情報抽出手段が抽出した過去撮影位置情報に基づいて、過去画像データにおいて被写体が撮影された位置の分布である撮影位置分布を算出する撮影位置分布算出手段（例えば、撮影位置分布算出手段２３２によって実現される）と、撮影位置分布算出手段が算出した撮影位置分布に基づいて、被写体の撮影位置として提案する提案撮影位置の候補を決定する撮影位置決定手段（例えば、撮影位置決定手段２３３によって実現される）と、撮影端末が被写体を撮影した端末画像データを受信し、当該端末画像データにおいて被写体が撮影された撮影位置を示す端末撮影位置情報と、撮影位置決定手段が決定した提案撮影位置の候補との関係に基づいて、撮影位置決定手段が決定した提案撮影位置の候補のうち、撮影端末の撮影者に提示する提案撮影位置を決定して、決定した提案撮影位置を含む提案情報を作成する提案情報作成手段（例えば、提案情報作成手段２３６によって実現される）と、提案情報作成手段が作成した提案情報を、撮影端末に送信する提案情報送信手段（例えば、提案情報送信手段２３７によって実現される）とを含み、撮影端末は、被写体を撮影して端末画像データを作成する撮像手段（例えば、撮像機器１１０によって実現される）と、撮像手段が作成した端末画像データをサーバに送信する画像データ送信手段（例えば、画像送付手段１４２によって実現される）と、サーバから受信した提案情報を表示する制御を行う表示制御手段（例えば、提案表示制御手段１４４によって実現される）とを含むように構成されていてもよい。
（３）撮影位置提案システムにおいて、撮影位置分布算出手段は、任意のユーザが撮影した複数の過去画像データを用いて抽出された過去撮影位置情報に基づいて、撮影位置分布を算出するように構成されていてもよい。
（４）撮影位置提案システムにおいて、撮影位置情報抽出手段は、過去画像データが撮影された時に当該過去画像データを撮影した撮像機器が求めたＧＰＳ情報を位置情報として抽出することによって、過去撮影位置情報を抽出するように構成されていてもよい。
（５）撮影位置提案システムにおいて、撮影位置情報抽出手段は、被写体と過去画像データを撮影した撮像機器との相対位置を位置情報として算出することによって、過去撮影位置情報を抽出するように構成されていてもよい。
（６）撮影位置提案システムにおいて、撮影位置分布算出手段は、所定の間隔で実空間を複数の区分領域に区分し、各区分領域内で被写体を撮影した過去画像データの数を計数することによって、撮影位置分布を算出するように構成されていてもよい。
（７）撮影位置提案システムにおいて、撮影位置決定手段は、撮影位置分布算出手段が算出した撮影位置分布に基づいて、過去画像データが撮影された頻度である画像撮影頻度が高い上位Ｎ（Ｎ≧１）位以上の区分領域を、提案撮影位置の候補として決定するように構成されていてもよい。
（８）撮影位置提案システムにおいて、撮影位置決定手段は、撮影位置分布算出手段が算出した撮影位置分布に基づいて、過去画像データが撮影された頻度である画像撮影頻度が低い下位Ｍ（Ｍ≧１）位以下の区分領域を、提案撮影位置の候補として決定するように構成されていてもよい。
（９）撮影位置提案システムにおいて、撮影位置決定手段は、撮影位置分布算出手段が算出した撮影位置分布に基づいて、過去画像データが撮影された頻度である画像撮影頻度が高い上位Ｎ（Ｎ≧１）位以上の区分領域と、画像撮影頻度が低い下位Ｍ（Ｍ≧１）位以下の区分領域とを、提案撮影位置の候補として決定するように構成されていてもよい。
（１０）撮影位置提案システムにおいて、サーバは、端末画像データを用いて抽出した端末撮影位置情報に基づいて、撮影位置分布算出手段が算出した撮影位置分布のうち、端末画像データに対応する撮影位置分布を選択する対応撮影位置分布決定手段（例えば、対応撮影位置分布決定手段２３５によって実現される）を含むように構成されていてもよい。
（１１）撮影位置提案装置（例えば、コンピュータ２００）は、被写体を過去に撮影した過去画像データにおいて当該被写体が撮影された撮影位置を示す過去撮影位置情報を抽出する撮影位置情報抽出手段（例えば、撮影位置情報抽出手段２３１によって実現される）と、撮影位置情報抽出手段が抽出した過去撮影位置情報に基づいて、過去画像データにおいて被写体が撮影された位置の分布である撮影位置分布を算出する撮影位置分布算出手段（例えば、撮影位置分布算出手段２３２によって実現される）と、撮影位置分布算出手段が算出した撮影位置分布に基づいて、被写体の撮影位置として提案する提案撮影位置の候補を決定する撮影位置決定手段（例えば、撮影位置決定手段２３３によって実現される）と、撮影端末が被写体を撮影した端末画像データを受信し、当該端末画像データにおいて被写体が撮影された撮影位置を示す端末撮影位置情報と、撮影位置決定手段が決定した提案撮影位置の候補との関係に基づいて、撮影位置決定手段が決定した提案撮影位置の候補のうち、撮影端末の撮影者に提示する提案撮影位置を決定して、決定した提案撮影位置を含む提案情報を作成する提案情報作成手段（例えば、提案情報作成手段２３６によって実現される）と、提案情報作成手段が作成した提案情報を、撮影端末に送信する提案情報送信手段（例えば、提案情報送信手段２３７によって実現される）とを含むことを特徴とする。
（付記１）被写体を撮影可能な撮影端末と、前記撮影端末に情報配信するサーバとを備え、前記サーバは、前記被写体を過去に撮影した過去画像データにおいて当該被写体が撮影された撮影位置を示す過去撮影位置情報を抽出する撮影位置情報抽出手段と、前記撮影位置情報抽出手段が抽出した前記過去撮影位置情報に基づいて、前記過去画像データにおいて前記被写体が撮影された位置の分布である撮影位置分布を算出する撮影位置分布算出手段と、前記撮影位置分布算出手段が算出した撮影位置分布に基づいて、前記被写体の撮影位置として提案する提案撮影位置の候補を決定する撮影位置決定手段と、前記撮影端末が前記被写体を撮影した端末画像データを受信し、当該端末画像データにおいて前記被写体が撮影された撮影位置を示す端末撮影位置情報と、前記撮影位置決定手段が決定した提案撮影位置の候補との関係に基づいて、前記撮影位置決定手段が決定した提案撮影位置の候補のうち、前記撮影端末の撮影者に提示する提案撮影位置を決定して、決定した提案撮影位置を含む提案情報を作成する提案情報作成手段と、前記提案情報作成手段が作成した前記提案情報を、前記撮影端末に送信する提案情報送信手段とを含み、前記撮影端末は、前記被写体を撮影して前記端末画像データを作成する撮像手段と、前記撮像手段が作成した前記端末画像データを前記サーバに送信する画像データ送信手段と、前記サーバから受信した前記提案情報を表示する制御を行う表示制御手段とを含むことを特徴とする撮影位置提案システム。
（付記２）前記撮影位置決定手段は、前記撮影位置分布算出手段が算出した前記撮影位置分布に基づいて、前記過去画像データが撮影された頻度である画像撮影頻度が高い上位Ｎ（Ｎ≧１）位以上の区分領域を、前記提案撮影位置の候補として決定する付記１記載の撮影位置提案システム。
（付記３）前記撮影位置決定手段は、前記撮影位置分布算出手段が算出した前記撮影位置分布に基づいて、前記過去画像データが撮影された頻度である画像撮影頻度が低い下位Ｍ（Ｍ≧１）位以下の区分領域を、前記提案撮影位置の候補として決定する付記１記載の撮影位置提案システム。
以上、実施形態を参照して本願発明を説明したが、本願発明は上記実施形態に限定されるものではない。本願発明の構成や詳細には、本願発明のスコープ内で当業者が理解しうる様々な変更をすることができる。
この出願は、２０１０年２月５日に出願された日本出願特願２０１０−０２４５５５を基礎とする優先権を主張し、その開示の全てをここに取り込む。
【符号の説明】
【０００９】
１００  撮像端末
１１０  撮像機器
１２０  通信手段
１３０  情報表示手段
１４０  データ処理装置
１４１  画像取得手段
１４２  画像送付手段
１４３  提案情報受信手段
１４４  提案表示制御手段
２００  コンピュータ
２１０  通信手段
２２０  記憶手段
２２１  画像記憶部
２２２  撮影位置分布記憶部
２３０  データ処理装置
２３１  撮影位置情報抽出手段
２３２  撮影位置分布算出手段
２３３  撮影位置決定手段
２３４  画像データ受信手段
２３５  対応撮影位置分布決定手段
２３６  提案情報作成手段
２３７  提案情報送信手段
３００  カメラ付き携帯電話機
３１０  画像センサ
３２０  無線通信装置
３３０  液晶モニタ
３４０  ＧＰＳ受信機
３５０  データ処理装置
４００  画像サーバ
５００  情報サーバ
【図１】
2011096343.tif 000003
【図２】
2011096343.tif 000004
【図３】
2011096343.tif 000005
【図４】
2011096343.tif 000006
【図５】
2011096343.tif 000007
【図６】
2011096343.tif 000008
【図７】
2011096343.tif 000009
【図８】
2011096343.tif 000010
【図９】
2011096343.tif 000011
【国際調査報告】
2011096343.tif 000012
2011096343.tif 000013